(57)【要約】【課題】手間が省け、かつ誤送信を回避できる画像データ送信方法を提供する。【解決手段】原稿３１に、表面に相手先、内容、発信元を印刷すると共に内部にそのデータを記憶した無線ＩＤタグ３２を添付して、この原稿３１の原稿画像をスキャナ９のＣＣＤセンサ１７で光学的に読み取ると共に，ＲＦ−ＩＤリーダ１９で無線ＩＤタグ３２から電磁的にデータを読み出し、原稿の画像データを送信する際に、無線ＩＤタグ３２から読み出したデータに基づき画像データを生成し、原稿３１の画像データに付加して、無線ＩＤタグ３２より読み出した相手先に、送信する。【選択図】      図２
2006217298.tif 000002
【特許請求の範囲】
【請求項１】
原稿に無線ＩＤタグを添付し、この原稿を光学的に読み取ると共に前記無線ＩＤタグから電磁的にデータを読み出し、前記原稿の画像データを送信する際に、前記無線ＩＤタグから読み出したデータに基づき画像データを生成し、前記原稿の画像データに付加して送信することを特徴とする画像データ送信方法。
【請求項２】
前記原稿とは独立の送り状の画像データを生成し、この送り状の画像データを前記原稿の画像データに付加して送信することを特徴とする請求項１記載の画像データ送信方法。
【請求項３】
発信元情報の画像データを生成し、前記原稿の各ページの画像データに付加して送信することを特徴とする請求項1又は請求項２記載の画像データ送信方法。
【発明の詳細な説明】
【技術分野】
【０００１】
この発明は、フアクシミリ装置などで原稿を送信する場合の画像データ送信方法に関する。
【背景技術】
【０００２】
一般に、フアクシミリ装置で原稿を送信する場合、テンキーやワンタッチキーを操作して、相手先の電話番号を入力する。この種のフアクシミリ装置において、キー操作による電話番号の入力の手間を省くために、手書き入力部に手書きされた文字を読み取り，ＯＣＲ処理して電話番号を抽出し、その電話番号へ発呼して原稿のイメージデータを送信するフアクシミリ装置が提案されている（例えば特許文献１参照）
【特許文献１】特開平8-139892号公報
【発明の開示】
【発明が解決しようとする課題】
【０００３】
上記した特許文献1に記載の方法では、ＯＣＲ処理は誤判定の可能性があり、電話番号が誤って認識され、予期せぬ相手先に原稿が送信されてしまう欠点があった。そこで、他の手段を用いて原稿に相手先や、用件、発信者、年月日などのデータを持たせ、それを電磁的に読み出してファクシミリ送信できると便利である。
【０００４】
この発明は、上記問題点に着目してなされたものであって、手間が省け、かつ誤送信を回避できる画像データ送信方法を提供することを目的とする。
【課題を解決するための手段】
【０００５】
この発明の画像送信方法は、原稿に無線ＩＤ（ＲＦ−ＩＤ）タグを添付し、この原稿を光学的に読み取ると共に前記無線ＩＤタグから電磁的にデータを読み出し、前記原稿の画像データを送信する際に、前記無線ＩＤタグから読み出したデータに基づき画像データを生成し、前記原稿の画像データに付加して送信することを特徴とする。
【０００６】
なお、この発明におけるフアクシミリ送信には、ＩＴＵ−Ｔ勧告Ｔ．３０による公衆電話回線を用いた通常のフアクシミリ送信のほか、原稿のイメージデータを添付した電子メールで送信する場合も含まれる。
【０００７】
この発明の画像データ送信方法において、前記原稿とは独立の送り状の画像データを生成し、この送り状の画像データを前記原稿の画像データに付加して送信することとできる。  
【０００８】
また、この発明の画像データ送信方法において、発信元情報の画像データを生成し、前記原稿の各ページの画像データに付加して送信することとしてもよい。
【発明の効果】
【０００９】
この発明によれば、無線ＩＤタグを原稿に貼り付けるだけで、送信したい相手先、用件に応じた送り状や、発信元表示（ＴＴＩ）が原稿に付加される。そのため手書きＯＣＲ処理のように、誤認識や認識不能といったことがない。
【発明を実施するための最良の形態】
【００１０】
以下、実施の形態により、この発明をさらに詳細に説明する。図1は、この発明が実施されるフアクシミリ装置の構成を示すブロック図である。この実施形態フアクシミリ装置は、ＭＰＵ（Ｍｉｃｒｏ  Ｐｒｏｃｅｓｓｅｒ  Ｕｎｉｔ）１と、ＮＣＵ（Ｎｅｔｗｏｒｋ  Ｃｏｎｔｒｏｌ  Ｕｎｉｔ）２と、ＭＯＤＥＭ（Ｍｏｄｕｌａｔｏｒ  Ｄｅｍｏｄｕｌａｔｏｒ）３と、ＲＯＭ（Ｒｅａｄ  Ｏｎｌｙ  Ｍｅｍｏｒｙ）４と、ＲＡＭ（Ｒａｎｄｏｍ  Ａｃｃｅｓｓ  Ｍｅｍｏｒｙ）５と、画像メモリ６と、表示部７と、操作部８と、スキャナ９と、ＣＯＤＥＣ（Ｃｏｄｅｒ−Ｄｅｃｏｄｅｒ）１０と、プリンタ１１と、ＬＡＮ−ＩＦ（Ｌｏｃａｌ  Ａｒｅａ  Ｎｅｔｗｏｒｋ−Ｉｎｔｅｒ  Ｆａｃｅ）１２と、時計回路１３と、バス１４とを、備えている。
【００１１】
ＭＰＵ１は、ＲＯＭ４に格納するプログラムに従い、この装置を構成する各部を制御する機能を有する。ＮＣＵ２は、電話回線網（ＰＳＴＮ）２０との接続を制御するとともに、相手先の電話番号（ＦＡＸ番号を含む）に対応した選択（ダイヤル）信号を送出する機能、及び呼出信号を検出するための機能を備えている。ＭＯＤＥＭ３は，ＩＴＵ(国際電気通信連合)―Ｔ勧告Ｔ．３０に従ったフアクシミリ伝送制御手順に基づいて、Ｖ．１７、Ｖ．２７ｔｅｒ、Ｖ．29等に従った送信データの変調及び受信データの復調を行う。あるいは、これらに加えてＶ．３４に従った送信データの変調及び受信データの復調を行う。
【００１２】
ＲＯＭ４は、この装置を制御するためのプログラムを記憶する。ＲＡＭ５はＭＰＵ１が処理するデータ等を一時的に記憶する。このＲＡＭ５には、後述の無線ＩＤタグ３２より読み取ったデータを記憶する。画像メモリ６は、受信した画像データやスキャナ９で読み取った画像データを記憶する。表示部７は、装置からオペレータへの伝達情報等を表示する。操作部８は、テンキー、ＦＡＸキー，ＣＯＰＹキー、スタートキー、ストップキー、ワンタッチキーなどの操作スイッチを有する。
【００１３】
スキャナ９は、ＦＡＸ送信するとき、又はコピーするときに、原稿の画像を読み取る。このスキャナ９には、読み取り光学系を駆動するためのモータ１５と、このモータを駆動制御するスキャナ機構駆動回路１６と、原稿を読み取るためのＣＣＤセンサ１７と、このＣＣＤセンサ１７の読み取り画像信号を画像処理する画像処理回路１８を備えるほか、無線ＩＤタグのデータを読み取るためのＲＦ−ＩＤリーダ１９を備えている。ＲＦ−ＩＤリーダ１９は、スキャナ９の原稿搬送路の適所に配置している。このＲＦ−ＩＤリーダ１９には、ＲＦ−ＩＤリーダ／ライタを使用しても良い。
【００１４】
ＣＯＤＥＣ１０は、読み取った画像データを送信するために、ＭＨ，ＭＲ，ＭＭＲ方式等により符号化（エンコード）し、受信した画像データを復号する。プリンタ１１は、複写時にスキャナ９で読み取られた画像データ、フアクシミリ受信した受信画像データ、外部機器であるＰＣ等から伝送されてきたプリントデータをプリントする。ＬＡＮ−ＩＦ１２は，ＬＡＮ（Ｌｏｃａｌ  Ａｒｅａ  Ｎｅｔｗｏｒｋ）を介してＰＣ（Ｐｅｒｓｏｎａｌ  Ｃｏｍｐｕｔｅｒ）などの外部機器に接続され、ここより外部機器とのデータ授受を行う。時計回路１３は、現在の時刻(年月日時分)を出力する。各構成部は、バス１４により、それぞれ接続されている。
【００１５】
この実施形態フアクシミリ装置を用いて、原稿をフアクシミリ送信するのに、図２に示す原稿３１を使用する。この原稿３１は、原稿上端部に、無線ＩＤタグ３２が添着されている。この無線ＩＤタグ３２は、裏面に粘着材を塗布したシール状のものであり、表面に「送り先」、「用件」、「発信者（部署、氏名）等が印刷され、さらにこれらのデータが内部記憶されている。無線ＩＤタグ３２の添付位置は、原稿上端部以外の他の適所であっても良い。この無線ＩＤタグ３２には、図７に記億例を示すように、「相手先」、「送り状」、「発信元」の他に、「発信日時」、「発信結果」も記憶可能に構成されている。この無線ＩＤタグ３２は、よくフアクシミリを送る送り先用に準備しておくと、送り先をテンキー、ワンタッチキー等を操作することなく送信でき、便利である。
【００１６】
なお、この実施形態で使用される無線ＩＤタグ３２は原稿３１に添着しているが、原稿３１と共に、キャリアシートに挟んで添付しても良い。
【００１７】
この原稿３１を、上記装置の原稿裁置部（図示せず）に載せ、操作部８の送信キーを走査すると、スキャナ９のＣＣＤセンサ１７及び画像処理回路１８で、原稿３１の原稿３１ａが光学的に読み取られる。同時に原稿３１の無線ＩＤタグ３２の記憶データが，ＲＦ−ＩＤリーダ１９によって電磁的に読み取られる。このＲＦ−ＩＤリーダ１９で読み出したデータ（「送り先」、「用件」、「発信者」）に基づき画像データを生成する。この生成した画像データを、読み取った原稿３２ａの画像に付加して送信する。
【００１８】
次に、実施形態フアクシミリ装置によりフアクシミリ送信する場合の処理動作を図４〜図６のフロー図を参照して説明する。フクシミリ装置では、ステップＳＴ１において、原稿裁置部に原稿がセットされる。次にステップＳＴ２に移行する。ステップＳＴ２においては、操作部８のスタートキーがＯＮされたか否か判定する。ここで、スタートキーがＯＮされると、ステップＳＴ３へ移行する。ステップＳＴ３では、スキャナ９で原稿を読み取り、画像データをＣＯＤＥＣ１０で符号化して、画像メモリ６に蓄積する。続いて、ステップＳＴ４へ移行する。
【００１９】
ステップＳＴ４においては、原稿に次の頁が有るか否かを判定する。次頁がある場合は、ステップＳＴ３へ戻り、次頁の原稿を読み取り、符号化して画像メモリ６に蓄積する。一方、次頁が無い場合は、ステップＳＴ５へ移行する。ステップＳＴ５においては、フラグＦが「１」か否か判定する。フラグＦ＝１の場合はステップＳＴ１２へ移行する。一方、フラグＦ＝１でない（フラグＦ＝０の場合）は、ステップＳＴ６へ移行する。ここで、フラグＦは、無線ＩＤタグ３２の記憶内容がＲＦ−ＩＤリーダ１９によって、正しく読み取られたことを示すフラグであり、ＲＡＭ５にフラグＦ＝「１」あるいは「０」として、記憶される。
【００２０】
ステップＳＴ６においては、表示部７に「フアクシミリ送信、コピー、キャンセルのいずれかを選択して下さい。」を表示する。次にステップＳＴ７へ移行する。ステップＳＴ７においては、操作部８において、キー入力を受ける。続いてステップＳＴ８へ移行する。ステップＳＴ８では、入力されたキーがワンタッチキーか、コピーキーか、ストップキーかを判定する。コピーキーの場合は、ステップＳＴ９へ移行する。ワンタッチキーの場合は、ステップＳＴ１０へ移行する。又、ストップキーの場合は、ＳＴ１１へ移行する。ステップＳＴ９においては、プリンタ１１で指定された部数を、プリントし、コピー処理を実行する。そしてステップＳＴ１１へ移行する。ステップＳＴ１０においては、ワンタッチキーで指定された番号へ、画像メモリ６に蓄積した読み取り画像データを、フアクシミリ送信する。その後、ステップＳＴ１１へ移行する。ステップＳＴ１１では、画像メモリの蓄積データを消去し、処理を終了する。なお、ステップＳＴ８のワンタッチキーの判断は、テンキーによる直接相手先番号入力後、再度スタートキーを押す場合も含まれる。以上の、ステップＳＴ６以降の処理は、無線ＩＤタグ３２が添付されていない場合、あるいは正しく読み取られていない場合に実行される通常の処理である。
【００２１】
ステップＳＴ１２においては、時計回路１３から、年月日、時刻のデータを読み出す。次にステップＳＴ１３へ移行する。ステップＳＴ１３においては、ＲＡＭ５に記憶されたデータ及び年月日、時刻に基づいてＴＴＩイメージを生成する。続いてステップＳＴ１４へ移行する。ステップＳＴ１４においては、ＲＡＭ５に記憶されたデータ及び年月日、時刻に基づいてカバーページイメージを生成する。さらに、ステップＳＴ１５へ移行する。ステップＳＴ１５においては、ＲＡＭ５に記憶されたデータより相手先の電話番号を抽出する。つぎにステップＳＴ１６へ移行し、回線を接続し、抽出した相手先電話番号をダイヤルする。そして，ステップＳＴ１７へ移行する。
【００２２】
ステップＳＴ１７においては、相手先着信か、つまり相手先より受信の応答有りか否か判定する。相手先着信無しの場合は、リダイヤル待ちする。一方、着信有りの場合はステップＳＴ１８へ移行する。ステップＳＴ１８においては、フアクシミリ送信における前手順を実行する。つまり、すでに良く知られるように前回の通信結果に基づいてシンボルレート、データレートなどの決定を行う。そして、ステップＳＴ１９へ移行する。ステップＳＴ１９においては、ＴＴＩイメージを埋め込んだカバーページを送信する。次に、ステップＳＴ２０へ移行する。ステップＳＴ２０においては、ＴＴＩイメージを埋め込んだ原稿イメージデータを送信する。図３にカバーページ３３ａと、原稿イメージ３３ｂを図示している。続いてステップＳＴ２１へ移行する。
【００２３】
ステップＳＴ２１においては、次のページが有るか否か判定する。次ぎのページ有りの場合はステップＳＴ２０に戻り、ＴＴＩイメージを埋め込んだ次のページの原稿イメージデータを送信する。一方、次ぎのページが無い場合は、ステップＳＴ２２に移行する。ステップＳＴ２２においては、フアクシミリ送信のＲＴＣ（Ｒｅｔｕｒｎ  Ｔｏ  Ｃｏｎｔｒｏｌ）送信等の後手順を実行し、ステップＳＴ２３で、回線を開放し、処理を終了する。
【００２４】
スキャナ９で、原稿画像の読み取り時に、ＲＦ−ＩＤリーダ１９は、原稿３１に付設された無線ＩＤタグ３２の記憶データを電磁的に読み取る。この場合の処理について、図６のフロー図を参照して、説明する。
【００２５】
先ず、ステッップＳＴ３１で、無線ＩＤタグ３２を検出か否か判定する。無線ＩＤタグ３２を検出の場合は、ステップＳＴ３２へ移行する、一方、無線ＩＤタグ３２を検出しない場合は、ステップＳＴ３６へ移行する。ステップＳＴ３２においては、ＲＦ−ＩＤリーダ１９で無線ＩＤタグ３２のデータをリードする。次に、ステップＳＴ３３へ移行する。ステップＳＴ３３においては、データのリードが出来たか否か判定する。データのリードが出来た場合は、ステップＳＴ３４へ移行する。一方、データのリードが出来ない場合は、ステップＳＴ３７へ移行する。
【００２６】
ステップＳＴ３４においては、無線ＩＤタグ３２よりリードしたデータ、具体例として「相手先」「用件」、「発信元」をＲＡＭ５に記憶する。次に、ステップＳＴ３５へ移行する。そして、ステップＳＴ３５において、フラグＦを「１」に設定する。
【００２７】
ステップＳＴ３６においては、原稿読み取りが終了か否か判定する。原稿読み取りが終了していない場合は、ステップＳＴ３１に戻り、無線ＩＤタグ３２の検出処理を継続する。一方。原稿読み取り終了の場合は、ステップＳＴ３７へ移行する。ステップＳＴ３７においては、ステップＳＴ３３で、無線ＩＤタグ３２のデータ読み取りが出来なかった場合も含めて、フラグＦを「０」とする。そして、リターンする。
【００２８】
なお、上記実施形態では、フアクシミリ通信は、国際電気通信連合（ＩＴＵ）−Ｔ勧告Ｔ．３０によるフアクシミリ通信を想定して説明しているが、本発明では、このフアクシミリ通信に限らず，Ｅ-ｍａｉｌに画像フアイル（．ｔｉｆ等）を添付する形式のいわゆるインターネットフアクシミリ送信にも適用できる。
【００２９】
またＲＦ−ＩＤタグは、データを読み出すだけでなく、送信日時、送信結果を書き込んでおくこともできる。ここでいう送信結果は、送信の正否の別の他、使用した通信の形態、方式等をいう。これにより、後で、原稿が相手に送信できたかどうか、どのような通信方式で送信したかを確認することが可能となる。
【図面の簡単な説明】
【００３０】
【図１】この発明が、実施されるフアクシミリ装置の概略構成を示すブロック図である。
【図２】この発明の実施に使用される原稿を説明する図である。
【図３】上記フアクシミリ装置において生成されるカバーページイメージ、原稿イメージを説明する図である。
【図４】上記フアクシミリ装置における原稿読み取り処理を説明するフロー図である。
【図５】図４と共に、上記フアクシミリ装置における原稿読み取り処理を説明するフロー図である。
【図６】上記フアクシミリ装置における無線ＩＤタグのデータ読み取り処理を説明するフロー図である。
【図７】同無線ＩＤタグの記憶データの一例を示す図である。
【符号の説明】
【００３１】
１                        ＭＰＵ
２                        ＮＣＵ
３                        ＭＯＤＥＭ
４                        ＲＯＭ
５                        ＲＡＭ
６                        画像メモリ
７                        表示部
８                        操作部
９                        スキャナ
１０                      ＣＯＤＥＣ
１１                      プリンタ
１２                      ＬＡＮ−ＩＦ
１３                      時計回路
１４                      バス
１５                      モータ
１６                      スキャナ機構駆動回路
１７                      ＣＣＤセンサ
１８                      画像処理回路
１９                      ＲＦ−ＩＤリーダ
３１                      原稿
３２                      無線ＩＤタグ
【図１】
2006217298.tif 000003
【図２】
2006217298.tif 000004
【図３】
2006217298.tif 000005
【図４】
2006217298.tif 000006
【図５】
2006217298.tif 000007
【図６】
2006217298.tif 000008
【図７】
2006217298.tif 000009